Podtech/llm-jp-corpus-v4-ja_patent huggingface dataset:
(57)【要約】      （修正有）【課題】従来、ガン、糖尿病、白血病、再生不良性貧血、不眠症の治療は外科手術、放射線治療、投薬治療などで対処するのが通常であるが、この場合、当人が病院や診療所に直接行って治療を受ける。重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）は、治療方法が発見されていない。【解決手段】ガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進を重水素減少水（スーパーライトウォーター）を原料として使用した醤油を開発して行う。【選択図】  なし【特許請求の範囲】
【請求項１】
水と、１４０ｐｐｍ以下の含有量の重水素を有し、又は、活性剤として、１４０ｐｐｍ以下の含有量の重水素を含み、担体又は助剤と共に、製薬学的な製品或いは医薬溶液の形での、ヒトに適する水性溶液である、重水素減少水（スーパーライトウォーター）を原料として使用した醤油によるガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進を行う。
【請求項２】
重水素濃度が１４０ｐｐｍ以下の重水素減少水（スーパーライトウォーター）と水を混合し、重水素濃度を任意の重水素濃度に設定し醤油の原料として使用する。
【発明の詳細な説明】
【０００１】
【発明の属する技術分野】
本発明は、ガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進を重水素減少水（スーパーライトウォーター）を原料として使用した醤油を日常の食事に使用することによっておこなうものである。
【０００２】
【従来の技術】
一般にガン、糖尿病、白血病、再生不良性貧血、不眠症の治療は外科手術、放射線治療、投薬治療などで対処するのが通常であるが、この場合、当人が病院や診療所に直接行って治療を受ける。重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）は、治療方法が発見されていない。
【０００３】
また、若返り、細胞の活性化、免疫細胞の増加に効果がある健康食品が多数販売されている昨今において、さまざまな健康食品を入手して体質改善をする対象者が増えている。
【０００４】
【発明が解決しようとする課題】
しかしながら現実において、従来の治療や健康食品による体質改善が治療として成果が上がらないこともあった。重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）は、治療方法が必要とされている。
【０００５】
【課題を解決するための手段】
本発明者等は係る課題を解決するために鋭意研究したところ、ガン、糖尿病、白血病、再生不良性貧血、不眠症の治療、重症急性呼吸器症候群（ＳｅｖｅｒｅＡｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進を重水素減少水（スーパーライトウォーター）を原料として使用した醤油を開発して、本発明を提供するものである。
【０００６】
すなわち本発明はガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進に最適な重水素減少水（スーパーライトウォーター）を原料として使用した醤油を日常の食事で使用し、体内の重水素濃度を低下させることを特徴とするガン、糖尿病、白血病、再生不良性貧血、不眠症の治療および若返り、細胞の活性化、免疫細胞の増加の促進方法であり、新陳代謝が活発になるとホルモンの分泌が良くなり、脳内ホルモン（メラトニン）が分泌され深い良質の睡眠が取れる。睡眠によりＮＫ細胞が増加し異常細胞を除去して正常細胞を複製し若返る。
【０００７】
【発明の実施の形態】
本発明は重水素減少水（スーパーライトウォーター）を原料として使用した醤油を日常の食事で使用しより効果的に体内の重水素濃度を低下させる。
【０００８】
重水素濃度が１４０ｐｐｍ以下になるとたんぱく質結合が弱くなり、新陳代謝が高まり分解しやすくなる。結合が弱くなった癌細胞をＮＫ細胞や抗癌剤で壊死させる。
【０００９】
新陳代謝が高まることにより若返り、細胞の活性化、免疫細胞の増加の促進の効果がある。
【００１０】
体内の重水素濃度が低下することにより、免疫力が強化され重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防に効果がある。
【００１１】
重水素減少水（スーパーライトウォーター）を原料として使用した醤油の製造は、重水素減少水（スーパーライトウォーター）と水を混合し、重水素濃度を任意の重水素濃度に設定した重水素減少水（スーパーライトウォーター）を従来の醤油の製造工程において、原料として使用することによって重水濃度が低い醤油を製造することができる。
【００１２】
【発明の効果】
以上説明したように、本発明によれば重水素濃度１４０ｐｐｍ以下の重水素減少水（スーパーライトウォーター）を原料として使用した醤油を日常の食事で使用し、体内の重水素濃度を低下させることにより、新陳代謝を高め、結合の弱くなったガン細胞をＮＫ細胞や抗癌剤で壊死させることが可能となる。また、新陳代謝が高まることにより若返り、細胞の活性化、免疫細胞の増加の促進の効果があり、免疫力の強化が重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防に効果がある。
また、重水素減少水（スーパーライトウォーター）を原料として使用した醤油は、従来の醤油製造工程において、重水素濃度を任意の重水素濃度に設定した重水素減少水（スーパーライトウォーター）を原料の水として使用することによって容易に製造することが可能である。
(57)【要約】【課題】従来、羅布麻の嗜好品はお茶が中心で有ったので、羅布麻の葉を焙煎してお茶にしたものか、只乾燥したものを粉末にして、栄養価の高いものはできないものかと、解決の課題とした。【解決手段】その結果、羅布麻の嗜好品としての付加価値を高めるため、羅布麻の葉を焙煎して羅布麻茶にしたものか、只乾燥したものを微粉末又は紅麻の葉をエキスにしたものを蜂蜜に混入攪拌して、羅布麻茶入蜂蜜が出来たので解決の手段とした。【選択図】図２
2004357675.tif 000002
【特許請求の範囲】
【請求項１】
羅布麻の葉を培煎乾燥して微粉末にして蜂蜜に混合した、羅布麻茶入蜂蜜。
【請求項２】
羅布麻の葉をジュース状にしてそのエキスを蜂蜜に混合した羅布麻茶入蜂蜜。
【請求項３】
羅布麻の紅麻茶を乾燥微粉末にして蜂蜜に混合した、請求項１の羅布麻茶入蜂蜜。
【請求項４】
羅布麻の紅麻茶をエキスにして蜂蜜に混合した、請求項１の羅布麻茶入蜂蜜。
【発明の詳細な説明】
【０００１】
【発明の属する技術分野】
羅布麻の葉を乾燥微粉末又はエキスにしたもの、又羅布麻の紅麻で製造した紅麻茶を乾燥微粉末又はエキスにしたものを蜂蜜に混合した、羅布麻茶、紅麻茶と蜂蜜に関するものである。
【０００２】
【従来の技術】
従来の蜂蜜には、羅布麻茶入は無かった。
【０００３】
【発明を解決しょうとする課題】
従来、羅布麻の嗜好品はお茶が中心で有ったので、羅布麻の葉を焙煎してお茶にしたものか、只乾燥したものを粉末にして、栄養価の高いものはできないものかと、解決の課題とした。
【０００４】
【課題を解決するための手段】
その結果、羅布麻の嗜好品としての付加価値を高めるため、羅布麻の葉を焙煎して羅布麻茶にしたものか、只乾燥したものを微粉末又は紅麻の葉をエキスにしたものを蜂蜜に混入攪拌して、羅布麻茶入蜂蜜が出来たので解決の手段とした。
【０００５】
【発明の実施の形態】
本発明の実施の形態を述べると、図１は瓶入の蜂蜜１に羅布麻茶の微粉末２を混入すると、図２の如く羅布麻茶入蜂蜜ができる。
又、羅布麻の全ての葉か、紅麻の葉を乾燥又はエキスにして、蜂蜜に混入することで、紅麻茶入蜂蜜、蜂蜜入羅布麻が出来上がる。
【０００６】
【発明の効果】
本発明の羅布麻茶入蜂蜜か蜂蜜入紅麻茶は蜂蜜の甘味料、栄養剤としての効能効果に羅布麻の薬用の効果がプラスするので蜂蜜の嗜好品、健康食品の付加価値が上がり、日常さじ等で舐めるだけで、蜂蜜プラス羅布麻茶としての効用効果が顕著にあらわれ、付加価値の高い羅布麻茶入蜂蜜が提供できる。又紅麻茶入蜂蜜が提供できることは日常生活の健康に貢献するものであり産業経済の発展に寄与するものである。
【図面の簡単な説明】
【図１】本発明の混入状態を示す正面図
【図２】本発明の製品の状態を示す正面図
【符号の説明】１は瓶の本体
２は蜂蜜
３は羅布麻茶の微粉末
４は羅布麻茶入蜂蜜
【図１】
2004357675.tif 000003
【図２】
2004357675.tif 000004
(57)【要約】【課題】【目的】黒豆加工食品にテンペ菌を浸透，発酵させるための方法。【解決手段】黒豆加工食品を製造する際に黒豆に特殊の針状の道具を用いて黒豆に微細な穴を開けて黒豆の形状を損なうことなくテンペ菌の浸透，発酵を容易にする。【特許請求の範囲】
【請求項１】
テンペを加えた黒豆加工食品の製法。
【発明の詳細な説明】
【０００１】
【産業上の利用分野】
この発明は黒豆加工食品にテンペ菌を加えて発酵させる際に通常の方法では黒豆の皮が硬いためテンペ菌が黒豆に浸透しないため皮を削り取るか，黒豆を裁断する方法しかなかったが，これらの方法では黒豆自体の品質に悪影響を与えることになる。本発明では黒豆を加工する際に特殊の針状の道具を用いて黒豆に微細な穴をあけて，テンペ菌の浸透を容易にし，よって発酵を促進することにある。
【０００２】
【従来の技術】
従来はテンペ菌を黒豆に浸透させ発酵を促進さすためには皮を剥くか，黒豆自体を裁断するしか方法が無かった。
【０００３】
【発明が解決しようとする課題】
この発明の目的は黒豆の形状を損なうことなくテンペ菌の浸透，発酵を容易にすることにある。
【０００４】
【課題を解決するための手段】
この発明を達成するためには黒豆をよく水煮し膨張させたものに特殊の針状の道具を用いて黒豆に微細な穴を開けてテンペ菌の浸透，発酵を容易にする。
【０００５】
【発明の効果】
以上の説明のようにこの発明によれば黒豆の形状を損なうことなくテンペ加工食品を作ることが出来る。
(57)【要約】      （修正有）【課題】イセエビ幼生の、大量採補、育成を図る事にある。【解決手段】植木鉢状容器に、係留結束棒体１を付設、パイプ取付突起体３を設け、筒孔部４を設ける、ｖ型溝５を設け、流入孔６を設ける、網付竹を結束体、突起体に固定、全体を網で覆い、コレクターを取付、幼生付着面が増大、係留索に連動した容器は、幼生をコレクター、網に付着させ、袋筒網に導き、食害を犯す、魚類の侵入を防ぐ。網付パイプを装着、開口部縁に袋筒網を取付た。結束棒体に、歪曲パイプ、鉄筋を取付、底部面をくり貫き、開口網を取付、金網、網等を取付、四角柱状の養殖容器としたものである。結束棒体、突起体を互い違いに、合体した容器で、網で覆い、袋網の不要な、採補容器となり、開口網を取付れば、育成容器となる。【選択図】  図２
2004357666.tif 000002
【特許請求の範囲】
【請求項１】
植木鉢状容器に、係留結束棒体を付設した、採補容器。
【請求項２】
容器胴部に、ｖ字状溝、流入孔を設けた、採補容器。
【請求項３】
係留結束棒体、突起体に、パイプ、鉄筋を取付、網等で連結する、養殖容器。
【発明の詳細な説明】
【０００１】
本発明は、イセエビ幼生採補容器であり、育成容器、浮魚礁容器である。
【０００２】
従来は、ビニール製コレクターで採補していたが、大量採補が困難であった。
【０００３】
図について、説明すれば、
一−四図は、植木鉢状容器の、開口部側面に、複数の係留結束棒体１を、隙間を設け付設、係留索２の結束簡易化を図り、容器部との接合部を大きくし、接合部強化を図り、水圧、波浪時の衝撃に耐えられる、容器とする。
開口外部、底部に、パイプ取付突起体３を設け、先端部に筒孔部４を設ける。
容器胴部に、複数のｖ型溝５を設ける事で、強度が上がり、溝底に設けた、流入孔６からの、イセエビ幼生流入を促進する。凸部面７、周囲を凹部面８とし設け、流入孔９を設ける事で、容器内からの流入を図る。
五図は、容器内部、底凹部に、網で覆った竹１０を装着、結束体、突起体に、ロープ等で括り固定、竹先端をロープで固定、全体を網で覆い、コレクター１１等を取付、漏斗状とする事で、幼生付着面が増大、  留索に連動した容器は、潮流に漂う、イセエビ幼生を、コレクター、網に付着させ、潮流圧力で、容器内に導き、流入孔より、胴部に装着した、袋筒網１２に入る、幼生に食害を犯す、魚類は、侵入防止網、流入孔で防止する、袋網保持金具１３に、プランクトンが増殖する枝木、藁等を装着すれば、餌場、脱皮場となり、幼生が成長、大量採補が可能となる。
六図は、網で覆ったパイプ１４を、外部溝に疏って装着、結束体、突起体に括り固定、開口部縁１５に、袋筒網を装着し、パイプで保持、パイプに、コレクター、竹、藁等を併用すれば、プランクトンが増殖、幼生付着面が増大、潮流で、溝部、流入孔への、誘引作用が起き、幼生流入の促進を図る。
くらげ等の、不純物の侵入を防ぎ、タコ等、外敵の侵入を防ぐ。
網で覆った、長いパイプを使用すれば、小魚の隠れ場の多い、浮魚礁となり。鉄筋輪、パイプ輪に、荒目網を取付、コレクターを併用、漏斗状網とすれば、付着面が増え、溝底、底面流入孔への潮流圧力を高め、幼生流入の促進を図る、
七図は、結束棒体に、歪曲パイプ、鉄筋１６を取付、容器間をロープで絞り、底部面をくり貫き、開口網１７を取付、円柱、四角柱状の養殖容器で、突起体筒孔部に鉄筋を挿入、開口孔、取付孔を設けた、波板等１８と、輪切りパイプを交互に取付れば、任意の間隔で、四隅を固定した、棚板状となり、開口部縁に、網、金網等を取付れば、内部容積、着生面が増大、海面下での、餌供給が可能となり、イセエビ、アワビ等に適した、養殖容器となる。
八図は、開口部係留結束棒体、突起体を、互い違いに、合体した、採補、育成容器で、全体を網で覆い、コレクターを取付れば、袋網が不要で、容器内に枝木、藁等を入れても、潮流、波浪による影響が少ない、採補容器となり。底面部をくり貫き、開口網を取付れば、育成容器となる。
【０００４】
以上の様にすれば、イセエビ幼生以外の、カニ類等の幼生を、採補出来る。
【図面の簡単な説明】
【図１】植木鉢状採補容器の、実施例を示す、側面図である。
【図２】植木鉢状採補容器の、実施例を示す、側面断面図である。
【図３】植木鉢状採補容器の、実施例を示す、平面図である。
【図４】植木鉢状採補容器の、実施例を示す、斜視図である。
【図５】網付竹、袋筒網を取付た、採補容器の、実施例を示す、斜視構成図である。
【図６】網付パイプ、袋筒網を取付た、採補容器の、実施例を示す、斜視図である。
【図７】パイプ、網等で連結した、養殖容器の、実施例を示す、側面構成図である。
【図８】開口網を取付、合体した、育成容器の  実施例を示す、側面構成図である。
【図１】
2004357666.tif 000003
【図２】
2004357666.tif 000004
【図３】
2004357666.tif 000005
【図４】
2004357666.tif 000006
【図５】
2004357666.tif 000007
【図６】
2004357666.tif 000008
【図７】
2004357666.tif 000009
【図８】
2004357666.tif 000010
(57)【要約】【課題】革新的、または創造性をもって新規技術により、多様性生物類（魚貝類や蚕）等が生産する物を、強制的に、または故意的に染色しない方法で、生産効率と多様性生物類（魚貝類や蚕）が生産する本来の染色若しくは色素の素材を、そのままの色合いを提供する事。【解決の手段】本発明は、多様性生物が生産する有機物や無機物を、体内細胞を利用し染色や色素化した物を作らせるために、アルカリ系・塩化系・水酸基（ＯＨ基）系等の合成染色剤・染料剤・色素剤等、又は食品用色素剤等や有機系等の色素剤類を、餌や水中に混入し、目的の色合いに応じてそれぞれの色合いを調整する事で、多様性生物から希望する染色した産生物を得ることが出来、問題を解決した。【特許請求の範囲】
【請求項１】
生物体内に持つ機能性細胞を利用し、色素剤や染色剤を多様性生物（魚介類や蚕）の体内に取り込ませるために
イ）生物の機能性に応じた色素剤（ニュートラルレッド・トルイジンブルー０・メチルオレンジ等）の合成色素剤・着色剤・染料剤・若しくは食品用色素剤等の染色剤・色素剤等を
ロ）生物の体内に取り組むために、餌や人口餌若しくは水中等に混入し体内に取り込ませ
ハ）生物が生産する色素若しくは染色した有機物・無機物等を得る事を特徴とする。
【発明の詳細な説明】
【０００１】
【発明の属する技術分野】
本発明は、多様性生物（魚介類や蚕）等の持つ機能性細胞を利用し、合成色素剤・染料剤・食品色素剤等を、生物に与える餌や人口餌若しくは水中に混ぜ込み、希望する色素を生産させる事である。
【０００２】
【従来の技術】
既存では、生物細胞の機能性を応用した手法が無い。
【０００３】
【発明者が解決しようとする課題】
生物に応じた機能性等の特徴を有し、それぞれの生物細胞の特徴に応じた合成色素剤・有機性色素剤等の色素剤・染料剤・食品用色素剤等を選定し、生物に給餌、若しくは水中に混入し、目的に応じた色合いを、生物に作り出させる事が出来るかを、解決するものである。
【０００４】
【課題を解決する為の手段】
本発明によれば、生物の種類は淡水性・海洋性・陸上形に大別されるが大部分が酸化により機能性が損失する事が確認されている中で
ア）染色剤・染料剤・色素剤等に含まれる化合物によって死滅する事が解った
イ）染色剤・染料剤・色素剤等には合成着色剤類・有機性着色剤等に分けられるが、アルカリ系・若しくは水酸基（ＯＨ基）の成分を含んだ化合物、または塩化系を含んだ物質を選定し
ウ）給餌、若しくは水中に混ぜ合わせる事で、染色或いは色素性を帯びた物を生物から生産することが出来た。
【０００５】
【発明の実態の形態】
本発明は、生物類に餌や水中にアルカリ系・塩化系・水酸基（ＯＨ基）を混入し問題を解決すること。
【０００６】
【実施例】
以下本発明をさらに詳細に説明する。
本発明において、生物類が生産する有機物や無機物を、染色した物を生産させるために、染色剤・染料剤・色素剤等のアルカリ系・塩化系・水酸基（ＯＨ基）等を、餌や水中に混ぜ合わせ、また染色剤・染料剤・色素剤等の濃度調整や色合いの調整を行うことで、それぞれの持つ生産性細胞と融合し、希望する色素性生産物を得ることが出来た。
(57)【要約】      （修正有）【課題】甘藷は植物繊維を多く含み健康に良いにもかかわらず、多く食べられていない。その原因は従来の調理法が甘露煮や焼き芋くらいしかなく、調理に時間がかかるからであると考えられる。いつでも、どこでも手軽に食べられ、しかも賞味期間も長い調理済み甘藷の製造法を提供する。【解決手段】生の甘藷を洗った後に、食べられる状態までふかす。その調理した甘藷を、真空パックする。こうすることにより、短い調理時間で手軽に甘藷を食することができる。【選択図】図１
2004357662.tif 000002
【特許請求の範囲】
【請求項１】
実際にふかした甘藷を真空パックしたもの
【発明の詳細な説明】
【０００１】
【発明に属する技術分野】
本発明は、実際にふかした甘藷を真空パックしたものである。
【０００２】
【従来の技術】
従来は、生の甘藷を甘露煮又は、露天で販売されるふかし甘藷でしか手軽に食することが出来なかった。
【０００３】
【発明が解決しようとする課題】
従来の甘藷を食するための調理法は、甘露煮や焼き芋といった調理に時間のかかる方法でしか甘藷が食されていなかった為、植物繊維を多く含み健康に良い、甘藷が多く食べられてなかった原因であると思われます。そのために本発明は甘藷を食するために簡単な方法で解決したものである。
【０００４】
【課題を解決するための手段】
（イ）生の甘藷を洗う
（ロ）洗った甘藷をふかす
（ハ）ふかした甘藷を真空パックする
このようにすることで賞味期間を長くすることができ、また短い調理時間で健康に良い植物繊維を多く含んだふかし甘藷が手軽にいつでも、どこでも食べれるようにしたものである。
【０００５】
【発明の実施形態】
（ニ）生の甘藷を洗う
（ホ）洗った甘藷をふかす
（ヘ）ふかした甘藷を真空パックする
【０００６】
【発明の効果】
ふかし甘藷を真空パックすることで、ふかし甘藷の賞味期間を長くすることができ、また短い調理時間で健康に良い植物繊維を多く含んだふかし甘藷が手軽に、いつでもどこでも、食べれるようになります。
【図面の簡単な説明】
【図１】本発明真空パックふかし甘藷平面図
【図２】本発明真空パックされたふかし甘藷一部断面図
【符号の説明】
１はふかし甘藷      ２は真空パック      ３は切断部
【図１】
2004357662.tif 000003
【図２】
2004357662.tif 000004
(57)【要約】【課題】従来のイカ釣り用ヤエンは道糸に装着された後、その道糸の下方を道糸と平行になった掛け針がすすみやがてイカに到達するが、しかし海中で水平を保ちつつ餌をくわえているイカとはイカ釣り用ヤエンを滑らせるためにつけた道糸の角度と同じ角度が餌をくわえたイカとヤエンの間にも発生し針掛かりを悪化させていた、また釣り人は無理に針掛かりさせようと道糸を強く引くと異常を察知したイカは餌を離し逃げてしまい、さらに道糸をゆるめた場合はイカ釣り用ヤエンがその自重により道糸をつたい手前に戻るため針に掛からなくなります。【解決手段】この発明では、餌から１センチメートルから３センチメートルの間の道糸に最低１個通常２〜３個の結び目を作成した後このイカ釣り用ヤエンを使用します、従来よりのイカ釣り用ヤエンは前方部に掛け針を配置し後方部に掛け止め部を２箇所配置していたが、このイカ釣り用ヤエンではさらに中央よりの掛け止め部と掛け針の間に設置した道糸は自由に通すが結び目は通過する部分としない部分に分かれた掛け止め部の働きによりその手段とする。【選択図】        図１
2004357664.tif 000002
【特許請求の範囲】
【請求項１】
支持体３の後方側掛け止め部１ｂと前方側掛け針４ａ．４ｂ．４ｃとの間に道糸は自由に通過するがその道糸につけた結び目は通過する部分としない部分とに分かれている２を配置し取り付けたことを特徴とするイカ釣り用ヤエン
【発明の詳細な説明】
【０００１】
【発明の属する技術分野】
本発明はイカ釣り用のヤエンの改良に関するものである。
【０００２】
【従来の技術】
餌には針をつけず海中に投げこみその餌にイカが食いついてからヤエンと呼ばれる掛け針を道糸に沿わせイカの元へ送り込みイカを引っ掛けて釣り上げる釣法の一種
【０００３】
【発明が解決しようとする課題】
従来のイカ釣り用ヤエンは道糸に装着された後、その道糸の下方を道糸と平行になった掛け針がすすみやがてイカに到達するが、しかし海中で水平を保ちつつ餌をくわえているイカとはイカ釣り用ヤエンを滑らせるためにつけた道糸の角度と同じ角度が餌をくわえたイカとヤエンの間にも発生し針掛かりを悪化させていた、また釣り人は無理に針掛かりさせようと道糸を強く引くと異常を察知したイカは餌を離し逃げてしまい、さらに道糸をゆるめた場合はイカ釣り用ヤエンがその自重により道糸をつたい手前に戻るため針に掛からなくなります。
【０００４】
【課題を解決するための手段】
この発明では、餌から１センチメートルから３センチメートルの間の道糸に最低１個通常２〜３個の結び目を作成した後このイカ釣り用ヤエンを使用します、従来よりのイカ釣り用ヤエンは前方部に掛け針を配置し後方部に掛け止め部を２箇所配置していたが、このイカ釣り用ヤエンではさらに中央よりの掛け止め部と掛け針の間に設置した道糸は自由に通すが結び目は通過する部分としない部分に分かれた掛け止め部の働きによりその手段とする。
【０００５】
【発明の実施の形態】
図面にもとずいて、この発明の実施例を説明すると図１が全体図であり支持体３の後部に５の重り、掛け止め部１ａ，１ｂ，そして掛け止め部１ｂと掛け針４ａ，４ｂ，４ｃの間に掛け止め部２を配置する構成とする。
【０００６】
図２は２の構造を示す図であり、道糸に結び目があってもそれを通過させる２ａ部と道糸は通過させてもその結び目は通過させない２ｂ部の二つに分かれた構造部より成っている。
【０００７】
図２は２の構造を示す図であり、２の２ｂ部の形状は逆Ｕ字型だけでなく逆Ｖ字型にしても同じ作用を得ることができる。
【０００８】
【発明の効果】
この発明のイカ釣り用ヤエンは餌に取り付けた道糸７にその餌から１センチメートルから３センチメートルの間の道糸に結び目を最低１個、通常２〜３個作成した上で海中に餌を投げこみ、イカが餌をくわえこめば道糸の緊張状態を保ちつつこのイカ釣り用ヤエンを投入すればやがてイカの元へと進み餌の近くに作成しておいた結び目６は図２の２ａ部を通過しヤエン後方部内に進入した状態で餌に到達するそれを表したのが図３、まだ針がかりしていないこの状態から道糸をゆるめるとヤエンはヤエン自体の自重により沈下を始めるが道糸につけた結び目６が図２の２ｂ部へと移動し、２ｂ部は道糸は通過させてもそれについた結び目は通過させないので２ｂ部の作用からそれ以降沈下しなくなり、２を支点として後方部の重り５は沈下その反作用により前方部の４ａ，４ｂ，４ｃの掛け針が上昇、イカの胴体に針が押しつけられるそれを表したのが図４、異常を感じたイカは後方へ逃げるので自然と針に掛かり釣り上げることができる。
【０００９】
つまりこのイカ釣り用ヤエンは強く糸を引いて無理にイカを掛けるような行為をしなくてもイカに近いところの道糸に作成された結び目のある部分のみでその作用を発揮するものであるからイカにヤエンが到達した頃合いを見計らい道糸をゆるめてしばらくまって針掛かりによる引き込みが無ければまた糸を張りしばらくしてゆるめるの繰り返しでいずれ針に掛かりますから初心者でも容易に釣り上げることができます。
【図面の簡単な説明】
【図１】イカ釣り用ヤエンの全体図
【図２】イカ釣り用ヤエンの部分図
【図３】イカ釣り用ヤエン使用時の参考図
【図４】イカ釣り用ヤエン使用時の参考図
【符号の説明】
１ａ  掛け止め部
１ｂ  掛け止め部
２    掛け止め部
３    支持体
４ａ  掛け針
４ｂ  掛け針
４ｃ  掛け針
５    重り
６    道糸の結び目
７    道糸
【図１】
2004357664.tif 000003
【図２】
2004357664.tif 000004
【図３】
2004357664.tif 000005
【図４】
2004357664.tif 000006
(57)【要約】【目的】本発明は、紫外線と酸化チタンの、光触媒を利用し、短時間で効率良く茶葉の残留農薬を除去する事を可能とし、また、穀類、乾物等にも、幅広く多品目に使用する事ができ、安全な食生活の向上を目的としている。【構成】本発明は、製茶された茶葉を、駆動している残留農薬除去装置に、コンベアー（１）で送り、投入口（６）より搬入し、回転トレー（１０）に乗せ、回転させ拡散ガイト（７）で茶葉を攪拌し、除菌殺菌灯（２）の照射を全体に届くようにし、エアーガイド（４）まで送り、エアー放出口（１１）より空気の力で茶葉は落下ダクト（１２）により下段に落ち、上記の行程を４回繰り返し落下グクト（１２）から、装置外に排出される。残留農薬除去装置が駆動している間は、除菌殺菌灯（２）が点灯しさらに、回転トレー（１０）、天井面、壁面に、蒸着した酸化チタンの、光触媒効果により、茶葉に対して四方からの除去効果を生む装置である。【特許請求の範囲】
【請求項１】
紫外線をお茶に照射すると共に、酸化チタンの触媒を利用しお茶の残留農薬を除去する装置である。
【発明の詳細な説明】
【０００１】
【発明の属する技術分野】
紫外線を照射することにより、除菌殺菌する能力はすでに周知の通りであるが、残留農薬に対して照射した結果、残留農薬が減少した事に注目し、さらに、酸化チタンの触媒効果を利用しお茶の残留農薬を除去する事を可能とした。
【０００２】
【従来の技術】
装置としてはないが、農薬散布後の残留日数を厳守するしかなかった。
【０００３】
【発明が解決しょうとする課題】
農薬の量、残留日数を守るように指導されていても、抜き打ち検査の結果、残留農薬が基準値を上回っている現実があり、生産者と消費者との間の信頼関係が崩れるまでに社会的問題へと発展している。
【０００４】
【課題を解決するための手段】
この装置の発明は、紫外線の照射と酸化チタンの触媒効果により、お茶の成分及び品質を劣化させる事なく、残留農薬を短時間で除去する事を可能にした装置である。
【０００５】
【発明の実施の形態】
電源（１６）を入れ、制御ボックス（１５）内スイッチを入りにするとモーター（８）が回り、回転シャフト（１３）と固定されている回転トレー（１０）が反時計方向に回転を始めると同時に除菌殺菌灯（２）が点灯し、ベルトコンベアー（１）が可動し、お茶が投入口（６）より投入される。投入されたお茶は、上部回転トレー（１０）に乗り、拡散ガイド（７）でお茶は拡散され、次の拡散ガイド（７）で更に拡散され、まんべんなく除菌殺菌灯の光が照射される。
照射されたお茶は、エアーガイド（４）に導かれ、エアー放出口（１１）よりの空気圧によってエアーガイド（４）から落下ダクト（１２）より下段に送られる。
上記の行程を計４回繰り返し行い、落下ダクト（１２）より排出される。
【０００６】
【発明の効果】
【実施例】
散布農薬が太陽光により除々に減少分解はすでに周知の通りである。短時間で農薬が減少、分解が可能か紫外線照射実験を行い、同時にお茶の成分分析を行った。
下記に実験データーを記載する。
2004357668.tif 000002
2004357668.tif 000003
上記の実験機の内容は、Ｗ７００ｍｍ．Ｈ６００ｍｍ．Ｄ３５０ｍｍ．の金属製のボックス、内部天井に２０Ｗ２本の殺菌灯を取付け照射実験を行った。
実験１では、クロチアニジン（ダントツ）を１０００倍の希釈液にし、照射実験を１０分、２０分と行った。
実験２では、ジクロルボス（ＤＤＶＰ）を１０００倍の希釈液にし、噴霧器により荒茶に散布し、乾燥した後、照射実験を１０分、２０分、行った。
実験３では、クロフェンテジン（カーラ）を２０００倍の希釈液にし、噴霧器により荒茶に散布し、乾燥した後、照射実験を５分、１０分、行った。
実験４では、荒茶を厚さ２０ｍｍに広げ、５分間ごとに、攪拌し、２０分間照射し成分分析を行った。
上記の如く、４回の実験を行った、実験１．実験２．実験３の散布農薬除去実験結果、短時間の照射で、確実に農薬の減少が数値に結果として記録された。
実験４お茶の成分分析の結果は、照射時間２０分で行ったが、ほとんど変化は見られなかった。実験の結果、短時間の照射で減農薬が可能となり、又、茶葉も成分が変化する事もなく確実な成果がでた。
本発明は上記の実験結果に基づき、確実に残留農薬の除去が可能に成る事を突き止め、酸化チタンの光触媒効果を利用してさらに、効率良く、安全に残留農薬を減らす装置を発明し、残留農薬を確実に短時間で減らす事が出来、安全な食生活に貢献が出来る事を確信した。
円筒式装置以外にも、
【実施例１】ベルトコンベアー式、
【実施例２】振動コンベアー式、
【実施例３】キャタピラー式、
【実施例４】攪拌式（全て多段式を含む）などの装置を考えた。
2004357668.tif 000004
2004357668.tif 000005
2004357668.tif 000006
2004357668.tif 000007
【図面の簡単な説明】
【図１】本発明の斜視図
【図２】本発明の平面図
【図３】本発明の断面図  〈Ａ〉面
【図４】本発明の断面図  〈Ｂ〉面
【符号の説明】
（１）はコンベアー
（２）は除菌殺菌灯
（３）はガイドローラー
（４）はエアーガイド
（５）は除去装置ボックス（内部、壁面、天井面  酸化チタン蒸着）
（６）は投入口
（７）は拡散ガイド
（８）はモーター
（９）はエアーポンプ
（１０）は回転トレー（酸化チタン蒸着）
（１１）はエアー放出口
（１２）は落下ダクト
（１３）は回転シャフト
（１４）は固定リング
（１５）は制御ボックス
（１６）は電源
【図１】
2004357668.tif 000008
【図２】
2004357668.tif 000009
【図３】
2004357668.tif 000010
【図４】
2004357668.tif 000011
(57)【要約】【課題】焼き甘藷を真空パックすることで短い調理時間で手軽な方法で焼き芋を得る【解決手段】生の甘藷を洗った後に、食べられる状態まで焼く。その調理した甘藷を、真空パックすることによって賞味期間を長くし、食べたい時に手軽にいつでも、どこでも食べれるようにする。【選択図】図１
2004357663.tif 000002
【特許請求の範囲】
【請求項１】
実際に焼いた甘藷を真空パックしたもの
【発明の詳細な説明】
【０００１】
【発明に属する技術分野】
本発明は、実際に焼いた甘藷を真空パックしたものである。
【０００２】
【従来の技術】
従来は、生の甘藷を甘露煮又は、露天で販売される焼き甘藷でしか手軽に食することが出来なかった。
【０００３】
【発明が解決しようとする課題】
従来の甘藷を食するための調理法は、甘露煮や焼き甘藷といった調理に時間のかかる方法でしか甘藷が食されていなかった為、植物繊維を多く含み健康に良い、甘藷が多く食べられてなかった原因であると思われます。そのために本発明は甘藷を食するために簡単な方法で解決したものである。
【０００４】
【課題を解決するための手段】
（イ）生の甘藷を洗う
（ロ）洗った甘藷を焼く
（ハ）焼いた甘藷を真空パックする
このようにすることで賞味期間を長くすることができ、また短い調理時間で健康に良い植物繊維を多く含んだ焼き甘藷が手軽にいつでも、どこでも食べれるようにしたものである。
【０００５】
【発明の実施形態】
（ニ）生の甘藷を洗う
（ホ）洗った甘藷を焼く
（ヘ）焼いた甘藷を真空パックする
【０００６】
【発明の効果】
焼き甘藷を真空パックすることで、焼き甘藷の賞味期間を長くすることができ、また短い調理時間で健康に良い植物繊維を多く含んだ焼き甘藷が手軽に、いつでもどこでも、食べれるようになります。
【図面の簡単な説明】
【図１】本発明真空パック焼き甘藷平面図
【図２】本発明真空パックされた焼き甘藷一部断面図
【符号の説明】
１は焼き甘藷    ２は真空パック    ３は切断部
【図１】
2004357663.tif 000003
【図２】
2004357663.tif 000004
(57)【要約】【課題】地球温暖化の進行防止や化石燃料の枯渇に備えての石油代替燃料の確保のため、バイオマス燃料の定常的で低価格な製造・供給が求められていること、及びバイオマス燃料の自動車用等の燃料としての貯蔵販売できる施設やシステムが必要とされている。【解決手段】バイオマス燃料を低コストで定常的に製造し一般ユーザーに販売するため、米穀の乾燥・調整過程でできる籾殻、糠等の副産物や専用の稲科作物を栽培して利用することで、バイオマス燃料の原料を低コストで定常的に確保する。さらに、従来の複数のガソリンスタンド等での販売・貯蔵施設と連携してそこで製造されたバイオマス燃料を自動車用燃料等として一般ユーザーに販売する。さらに、以上のバイオマス燃料の原料製造システムとバイオマス燃料製造システムおよびバイオマス燃料の貯蔵・販売システムを一貫統合してシステム化して全体を経営することにより、低価格で安定供給可能なバイオマス燃料の製造・販売を実現する。【選択図】  なし【特許請求の範囲】
【請求項１】
米の乾燥・調整過程における副産物（糠や籾殻等）をバイオマス燃料製造用のバイオマス原料として製造・加工しバイオマス燃料製造プラントへ供給すること。
【請求項２】
イタリアンライグラス等の作物をバイオマス燃料製造用の原料として栽培し、製造・加工しバイオマス燃料製造プラントへ供給すること。
【請求項３】
米穀の副産物（糠や籾殻等）やイタリアンライグラス等の作物を製造加工してバイオマス燃料の製造プラントへ原料として供給し、製造されたバイオマス燃料を引き受け、複数のガソリンスタンド等の自動車用等の燃料の貯蔵・供給施設に運搬し、そこで自動車用等の燃料として一般ユーザーに販売すること。
【請求項４】
米穀の副産物等や専用作物を栽培してバイオマス原料を製造・加工し、バイオマス燃料製造プラントへ供給するシステムと、バイオマス燃料製造プラントでのバイオマス燃料製造システム、さらに製造されたバイオマス燃料を複数のガソリンスタンド等の自動車用等の燃料の貯蔵・供給施設において貯蔵・販売する３システムを統合したひとつのシステムを作成し、このシステムのもとに全体を運営・稼動すること。
【請求項５】
統合システムを運営する部署を法人として設置し、バイオマス燃料の製造から販売までの全システムを運営し経営すること。
【発明の詳細な説明】
【０００１】
【発明が属する技術分野】
本発明は、化石燃料に代替する１００％バイオマス由来の自動車用等の燃料の製造・販売及び、原料の製造・供給とバイオマス燃料の製造および製造されたバイオマス燃料の貯蔵・販売の各システムを統合したシステムのもとに運営・管理・経営するシステム技術に関するものである。
【０００２】
【従来の技術】
１００％バイオマス由来のバイオマス燃料の製造は、安価で定常的に入手できる原料の確保が難しく製造できたバイオマス燃料は高価で、希少であった。さらに、このバイオマス燃料を一般ユーザー向けに貯蔵・販売する施設もなかった。
【０００３】
【発明が解決しようとする課題】
解決しようとする課題は安価で定常的に入手できるバイオマス燃料用の原料が確保できずまた、貯蔵・販売施設がないために高価で少量のバイオマス燃料しか製造できないこと、原料の製造から販売までの統合されたシステムがないため、一般ユーザーが安価に入手できないことである。
【０００４】
【課題を解決するための手段】
本発明は、第１に農業副産物等を利用して低コストで安定的に入手できるバイオマス原料を確保すること、第２に米穀の乾燥調整施設等のバイオマス原料製造施設、バイオマス燃料製造プラント、ガソリンスタンド等の製造・貯蔵・販売の３主要施設を提携して、各施設の製造・販売システムを統合した１つの総合システムにより全体を経営・稼動することで、低コストのバイオマス燃料を自動車用燃料等として定常的に製造・販売することを最も主要な特徴とする。
【０００５】
【発明の実施の形態】
本発明は、まず、ライスセンターやカントリーエレベーター、精米工場等の米麦類の乾燥・調整施設からその製造過程で副次的に生産される籾殻、糠等の副産物やその他農産物をバイオマ原料に利用するため、米麦類の乾燥・調整施設等のバイオマス原料製造施設ないし原料加工施設とバイオマス燃料の製造プラントと提携するものである。バイオマス燃料の製造プラントの設置場所としては原料の運搬等の利便性から両者が隣接ないし至近距離にあることが望ましい。さらに製造されたバイオマス燃料を自動車用の燃料等として販売できるように、現行の複数のガソリンスタンド等の自動車用燃料販売施設と提携し、製造プラントで製造されたバイオマス燃料をローリー車等でそこへ運搬し貯蔵し、その施設で一般自動車ユーザー等に販売するものである。そして、バイオマス原料の製造からバイオマス燃料等の製造、その販売までの各施設の各業務をコンピューターによりオンライン化して統合した１つのシステムで稼動させ、製造から販売までを一貫したシステムのもとに行う。この統合したシステムをもとに全体を経営し、指令する法人（施設）は独立に設置する。このようにして安価で定常的に入手できる自動車用等の燃料の供給を可能とするビジネスシステムである。
【０００６】
【実施例】
図は本発明施設の概要である。
【０００７】
【発明の効果】
以上説明したように、本システムにより、安価な１００％バイオマス由来のバイオマス燃料を定常的に自動車用等の燃料として一般ユーザーに供給・販売できるので、環境保全（地球温暖化対策）に資して今日と議定書における二酸化炭素の排出権も獲得でき、石油代替燃料としても安定的に供給できる。さらに、原料製造に農産物を利用するので、地域の作物振興や水稲作の振興につながって地域農業の活性化にも資することができる。
【図面の簡単な説明】
【図１】本システムの概要図である。
【符号の説明】
１    原料の素となる水稲及び農作物の圃場
２    原料となる糠や籾殻が製造されるライスセンターやカントリーエレベーター、精米工場、無洗米工場等の施設
３    集められた糠や籾殻、専用作物を最終的に原料として利用できるまで加工する施設
４    バイオマス燃料の製造プラント
５    製造されたバイオマス燃料を貯蔵・販売施設まで運搬するタンクローリー車
６    製造されたバイオマス燃料を貯蔵・販売するガソリンスタンド等の施設
７    バイオマス原料の製造・供給からバイオマス燃料製造プラント、バイオマス燃料の販売施設を統合した１つのシステムのもとに稼動させ指令管理する、総合指令施設
８    原料の製造・供給システムと総合指令システムを結ぶオンライン
９    原料の製造・供給システムとバイオ燃料製造システムを結ぶオンライン
１０  バイオマス燃料製造システムと総合指令システムを結ぶオンライン
１１  バイオマス燃料製造システムと貯蔵・販売システムを結ぶオンライン
１２  複数の貯蔵・販売システム間を結ぶオンライン
１３  複数の貯蔵・販売システムと総合指令システムを結ぶオンライン
１４  一般ユーザーの例（バイオマス燃料とはメタノール等のアルコール類、水素その他の可燃性ガスをいう）
【図１】
2004182921.tif 000002
(57)【要約】【課題】接客に際しアイスコーヒーを出すときに、アイスコーヒーとミルクと砂糖とストロー及びコップを取り揃える事や運搬、配膳の手間を省けながらも、いろいろな味を楽しめるアイスコーヒーセットを提供すること。【解決手段】アイスコーヒーの入ったコップ本体１の上部に、砂糖液の入ったシュガー室６、ミルクの入ったミルク室７、及び空室８の３つの部屋を備え、コップ本体１の側面部にはストロー５を付属し、各部屋の上蓋４及びコップ本体１との仕切幕３は、付属のストロー５にて簡単に穴のあく材質で出来ており、これらの部屋へのストロー５の刺し方の組み合わせにより、ブラック、砂糖入り、ミルク入り、砂糖とミルク入りの４種類のコーヒーから、好きなものを選んで飲める様にする。【選択図】        図１
2004182271.tif 000002
【特許請求の範囲】
【請求項１】
アイスコーヒーの入ったコップの上部に、砂糖液の入ったシュガー室、ミルクの入ったミルク室、及び空室の３つの部屋を備え、コップ側面部にはストローを付属し、各部屋の上蓋及びコップ本体との仕切幕は、付属のストローにて簡単に穴のあく材質で出来ており、これらの部屋へのストローの刺し方の組み合わせにより、ブラック、砂糖入り、ミルク入り、砂糖とミルク入りの４種類のコーヒーから、好きなものを選んで飲めることを特徴とするアイスコーヒーセット。
【発明の詳細な説明】
【０００１】
【発明が属する技術分野】
この発明は、アイスコーヒーなどを飲む容器に関するものである。
【０００２】
【従来の技術】
従来は、接客に際しアイスコーヒーを出すときに、客人に好みの味を選んでいただくには、アイスコーヒーとは別に、ミルクと砂糖とストローを準備する必要が有った。
【０００３】
【発明が解決しようとする課題】
しかしながら、以上の従来技術によれば、アイスコーヒーとミルクと砂糖とストロー及びコップが別々に収納してあり、それぞれを取り揃える事や運搬、配膳に手間がかかった。
そこで、この発明は、いろいろな味を選べながら、取り揃える事や運搬、配膳の際の手間をかけないアイスコーヒーセットを提供することを課題とする。
【０００４】
【課題を解決するための手段】
以上の課題を解決する為に、請求項１の発明は、アイスコーヒーの入ったコップの上部に、砂糖液の入ったシュガー室、ミルクの入ったミルク室、及び空室の３つの部屋を備え、コップ側面部にはストローを付属し、各部屋の上蓋及びコップ本体との仕切幕は、付属のストローにて簡単に穴のあく材質で出来ており、これらの部屋へのストローの刺し方の組み合わせにより、ブラック、砂糖入り、ミルク入り、砂糖とミルク入りの４種類のコーヒーから、好きなものを選んで飲めることを特徴とするアイスコーヒーセットである。
【０００５】
【発明の実施の形態】
以下、本発明の実施形態を図面に基づいて詳細に説明する。図１〜図３に示す様に、アイスコーヒーセットは、コップ本体１、仕切枠２、仕切幕３、上蓋４及びコップ本体１の側面に仮付けしてあるストロー５で構成され、アイスコーヒーの入っているコップ本体１の上部に、砂糖液の入っているシュガー室６、ミルクの入ったミルク室７、何も入っていない空室８の３つの部屋を備える。ストロー５は、二重パイプ式伸縮ストローとする。
【０００６】
コップ本体１の内部とシュガー室６、ミルク室７は、それぞれ密閉されており、そのままでは、アイスコーヒー、砂糖液、ミルクが交ざり合う事はない構造となっている。
【０００７】
コップ本体１の内部と空室８の間の仕切幕３には、図４で示す開口部９が有り、空室８とコップ本体１の内部の空間とは自由につながっており、空室８に上蓋４からストロー５を刺し、コップ本体１内を攪拌する際に、ストロー５をスムーズに動かせる構造となっている。
【０００８】
このアイスコーヒーセットを使用する際には、アイスコーヒーセットごと冷蔵庫に入れ冷やしておき、必要な時にそのまま出せば良い。
【０００９】
ブラックコーヒーを飲みたい場合、シュガー室６とミルク室７には何もせず、空室８に上蓋４からストロー５を刺して、コップ本体１の内部のアイスコーヒーをそのまま飲めば良い。
【００１０】
砂糖入りのコーヒーを飲みたい場合、シュガー室６に上蓋４からストロー５を刺し、仕切枠２まで突き破った後、ストロー５を抜き、砂糖液をコップ本体１の内部へ落とした後、空室８に上蓋４からストロー５を刺して、コップ本体１の内部のアイスコーヒーを攪拌した上で飲めば良い。
【００１１】
ミルク入りのコーヒーを飲みたい場合、ミルク室７に上蓋４からストロー５を刺し、仕切枠２まで突き破った後、ストロー５を抜き、ミルクをコップ本体１の内部へ落とした後、空室８に上蓋４からストロー５を刺して、コップ本体１の内部のアイスコーヒーを攪拌した上で飲めば良い。
【００１２】
砂糖とミルク入りのコーヒーを飲みたい場合、シュガー室６に上蓋４からストロー５を刺し、仕切枠２まで突き破った後、ストロー５を抜き、更に、ミルク室７に上蓋４からストロー５を刺し、仕切枠２まで突き破った後、ストロー５を抜き、砂糖液とミルクをコップ本体１の内部へ落とした後、空室８に上蓋４からストロー５を刺して、コップ本体１の内部のアイスコーヒーを攪拌した上で飲めば良い。
【００１３】
【発明の効果】
以上説明したように、この発明によれば、アイスコーヒーの入ったコップに砂糖とミルクとストローが、セットで付いており、それぞれを取り揃える事や運搬、配膳に手間がかからない。また、ストローを刺して抜くという簡単な動作で、好みの味が楽しめる。
【図面の簡単な説明】
【図１】この発明の一実施形態を示す斜視図である。
【図２】この発明の一実施形態を示す平面図である。
【図３】この発明の一実施形態を示す正面図である。
【図４】この発明の一実施形態の仕切幕を示す斜視図である。
【符号の説明】
１  コップ本体
２  仕切枠
３  仕切幕
４  上蓋
５  ストロー
６  シュガー室
７  ミルク室
８  空室
９  開口部
【図１】
2004182271.tif 000003
【図２】
2004182271.tif 000004
【図３】
2004182271.tif 000005
【図４】
2004182271.tif 000006
(57)【要約】【課題】軽量でフレキシブル、かつ高熱伝導性という３つの性質をもつ材料を活用した能動型吸・放熱器を提供する。【解決の手段】搭載機器のサーマルダブラーと宇宙空間に面した放熱フィンが一体となった構造であり、フィンの表面は放射率が高く、太陽光吸収率の低い材料を、裏面には放射率が低く、太陽光吸収率の高い材料を用い、機器の温度に対応して放熱フィンが開閉することにより、放熱あるいは吸熱として機能することを特徴とする。【選択図】  なし【特許請求の範囲】
【請求項１】
軽量でフレキシブル、かつ高熱伝導性という３つの性質をもつ材料を活用した能動型吸・放熱器。
【請求項２】
搭載機器のサーマルダブラーと宇宙空間に面した放熱フィンが一体となった構造。
【請求項３】
機器の温度に対応して放熱フィンが開閉することにより、放熱あるいは吸熱として機能する。
【請求項４】
フィンの表面は放射率が高く、太陽光吸収率の低い材料を、裏面には放射率が低く、太陽光吸収率の高い材料とする。
【請求項５】
放熱フィン開閉用の回転アクチュエータは、受動型と能動型の両方に対応することが可能である。受動型は形状記憶合金と捩りコイルバネの組合せで構成し、軽量で電力を必要としない。又、能動型は駆動用モータを用いて、制御温度の精度を高める。
【発明の詳細な説明】
【０００１】
【発明の属する技術分野】本発明は、熱制御方法及びその装置に係わり、特に、人工衛星や宇宙船等の宇宙機の搭載機器の熱制御に適した熱制御方法及びその装置に関する。
【０００２】
【従来の技術】字宙空間を飛翔する宇宙機の温度は宇宙機内部の発熱及び太陽光の入射と宇宙機自身から宇宙空間に熱放射される量で決まる。従来の宇宙機熱制御技術にサーマルルーバや展開ラジエータがある。サーマルルーバは機器の温度に応じてブレードを開閉することにより機器の温度を適切に保つことができる。展開ラジエータは打上げ時は放熱面を収納し，軌道上で展開することで実効放熱面積を増やすことが可能で，内部発熱の大きい場合の放熱に用いられている。
【０００３】サーマルルーバは放熱面積を宇宙機構造体よりも大きくすることができないため放熱量に限界がある。展開ラジエータは展開が一方向的で，温度に応じて実効放熱面積を調整することができない。また，両者とも低温時にはヒータによる熱制御が必要となるため電力リソースが必要である。また装置重量も構造的に重い等の欠点がある。
【０００４】
【発明が解決しようとする課題】本発明機器はラジエータ面を可逆的に展開・収納することにより高発熱・低発熱の両方に対応できる。また，太陽光吸熱機能を有しているため，機器の温度が低い場合はヒータ用の電力リソースを用いることなく機器を温めることができる。従って、上記した従来の熱制御機器の欠点を改良し、特に、高温・低温の厳しい環境下でも対応して動作し、しかも、構造が単純で製造が容易である宇宙機の搭載機器に好適な熱制御装置を提供するものである。本発明の他の目的は、軽量、フレキシブルで電力を必要としないため、信頼性の高い熱制御装置を提供するものである。
【０００５】
【課題を解決するための手段】本発明は上記した目的を達成するため、基本的には、以下に記載されたような技術構成を採用するものである。即ち、本発明に係わる熱制御装置の第１態様は、搭載機器の温度に応じて放熱フィンの開閉により、吸・放熱し、熱制御するものであり、又、第２の態様は、軽量でフレキシブル、かつ高熱伝導性という３つの性質をもつ材料であることを特徴とするものであり、又、第３態様は、フィンの表面は放射率が高く、太陽光吸収率の低い材料を、裏面には放射率が低く、太陽光吸収率の高い材料とするもので、又、第４の態様は、放熱フィンを開閉する回転アクチュエータは形状記憶合金と捩りコイルバネを組合せて構成され、軽量で電力を必要としない受動型であり、又、第５の態様は、前記対象物は人工衛星や宇宙船等の宇宙機であることを特徴とするものである。
【０００６】
【発明の効果】本発明は上術のように構成したので、展開ラジエータやサーマルルーバ及び、ヒータ制御の機能を兼ね添えた一の熱制御装置であるため、小電力化、小型、軽量である。又、機械的な可動部分も制御用電子機器を持たないことから電力量の削減と軽量となり、信頼性が高く、寿命が長い。
【図面の簡単な説明】
【図１】本発明の実施形態を示す
【符号の説明】
１    放熱フィン
２    放熱フィン表面
３    放熱フィン裏面
４    回転アクチュエータ
【図１】
2004182208.tif 000002
(57)【要約】      （修正有）【課題】自動車のトランク等にいれることができる動力付き二輪車を提供する。【解決手段】動力付き二輪車を真ん中で折り畳めるようにする。【選択図】  図１
2004182205.tif 000002
【特許請求の範囲】
【請求項１】
（イ）動力付き２輪車を真ん中でおれて、おりたためるようにする。
【発明の詳細な説明】
【産業上の利用分野】
自動車でワンボックスカーとかふえており、またトランクにいれられ
る。主にレジャーでつかわれる。
【従来の技術】
動力付き２輪車は、おりたためず、トランクなどはいらなかった。
【図面の簡単な説明】
【図１】本考案請求項（イ）の正面図
【図１】
2004182205.tif 000003